(57)【要約】【課題】光学部材が不要で、光度のむらが生じるのを抑制することができる照明器具を提供する。【解決手段】照明器具は、基板２０及び基板に設けられる光源（ＬＥＤ２１１〜２１３）を有するＬＥＤモジュール２と、透光性を有し光を拡散させるパネル６と、を備える。基板は、列形成方向Ｄ１に伸びる一直線上に第１ピッチＰ１で複数の光源が配置されてなる光源列を有する。光源列は、列形成方向Ｄ１と直交する並列方向に第２ピッチで複数配置される。光源から、列形成方向及び並列方向と直交する基板直交方向Ｄ３に照射される光の光度に対する、基板直交方向から角度θ傾斜する方向へ照射される光の光度の比をｒ（θ）とし、ｒ（θ）・ｃｏｓθ＝１／２となるθを求めてθ０とする。第１ピッチをＰ１、光源とパネル６との間の距離をｄとすると、Ｐ１／２≦ｄ・ｔａｎθ０を満たす。【選択図】図８
2020024831.tif 000002
【特許請求の範囲】
【請求項１】
基板及び前記基板に設けられるＬＥＤからなる光源を有するＬＥＤモジュールと、
前記基板と対向するように配置され、透光性を有し光を拡散させるパネルと、を備え、
前記基板は、列形成方向に伸びる一直線上に第１ピッチで複数の前記光源が配置されてなる光源列を有し、
前記光源列は、前記列形成方向と直交する並列方向に第２ピッチで複数配置され、
一の前記光源列における各前記光源は、前記一の前記光源列に隣接する前記光源列の各前記光源と、前記列形成方向において前記第１ピッチの半分のピッチずれた位置に配置され、
前記光源から、前記列形成方向及び前記並列方向と直交する基板直交方向に照射される光の光度に対する、前記基板直交方向から角度θ傾斜する方向へ照射される光の光度の比をｒ（θ）とし、
ｒ（θ）・ｃｏｓθ＝１／２となるθを求めてθ０とし、
前記第１ピッチをＰ１とし、
前記光源と前記パネルとの間の距離をｄとしたとき、
Ｐ１／２≦ｄ・ｔａｎθ０を満たす  
照明器具。
【請求項２】
前記第２ピッチをＰ２としたとき、
｛（Ｐ１／２）２＋Ｐ２２｝１／２／２≦ｄ・ｔａｎθ０を満たす  
請求項１に記載の照明器具。
【請求項３】
反射体を更に備え、
前記反射体は、前記列形成方向及び前記並列方向に沿う辺を有する矩形状に形成されて前記光源列が配置される光源配置部と、前記列形成方向及び前記並列方向と直交する基板直交方向に見て前記光源配置部を囲うように配置される反射板と、を有し、
前記反射板と前記反射板に最も近い前記光源との間の距離をＤとしたとき、
Ｄ≦ｄ・ｔａｎθ０を満たす  
請求項１又は２に記載の照明器具。
【請求項４】
前記光源配置部に、前記基板として第１基板と第２基板とが前記並列方向に並ぶように配置され、
前記第１基板の前記第２基板側の端部に位置する前記光源列と、前記第２基板の前記第１基板側の端部に位置する前記光源列とのピッチが前記第２ピッチと等しく、
前記第１基板の前記第２基板側の端部に位置する前記光源列における各前記光源は、前記第２基板の前記第１基板側の端部に位置する前記光源列の各前記光源と、前記列形成方向において前記第１ピッチの半分のピッチずれた位置に配置される
請求項１〜３のいずれか一項に記載の照明器具。
【請求項５】
前記反射板は、前記光源配置部を向く反射面が無彩色である
請求項３に記載の照明器具。
【発明の詳細な説明】
【技術分野】
【０００１】
本発明は、照明器具に関し、更に詳しくは、基板及び基板に設けられるＬＥＤからなる光源を有する照明器具に関する。
【背景技術】
【０００２】
従来、面照明光源装置及び面照明光源装置が複数配置された面照明装置が知られている（例えば特許文献１参照）。面照明光源装置は、一群の光源と、導光体と、導光体の放射面以外の面を閉鎖するケーシングと、ケーシングと導光体の間に設けられて反射面を有する内側反射手段と、外方反射部及び開口部を有する放射側反射手段と、を備えている。
【０００３】
この従来の面照明光源装置及び面照明装置にあっては、放射側反射部を通過した光（反射光）により、放射面から所定距離離れた位置での光の分布が均一に近いものであった。
【先行技術文献】
【特許文献】
【０００４】
【特許文献１】特開２００９−４２４８号公報
【発明の概要】
【発明が解決しようとする課題】
【０００５】
しかしながら、特許文献１に記載された面照明光源装置及び面照明装置にあっては、内側反射手段及び放射側反射手段といった光学部材が必要となるものであった。
【０００６】
本発明は上記従来の問題点に鑑みて発明したものであって、光学部材が不要で、光度のむらが生じるのを抑制することができる照明器具を提供することを目的とする。
【課題を解決するための手段】
【０００７】
上記課題を解決するために、本開示に係る一形態の照明器具は、ＬＥＤモジュールと、パネルと、を備える。前記ＬＥＤモジュールは、基板及び前記基板に設けられるＬＥＤからなる光源を有する。前記パネルは、前記基板と対向するように配置され、透光性を有し光を拡散させる。前記基板は、列形成方向に伸びる一直線上に第１ピッチで複数の前記光源が配置されてなる光源列を有する。前記光源列は、前記列形成方向と直交する並列方向に第２ピッチで複数配置される。一の前記光源列における各前記光源は、前記一の前記光源列に隣接する前記光源列の各前記光源と、前記列形成方向において前記第１ピッチの半分のピッチずれた位置に配置される。
【０００８】
前記光源から、前記列形成方向及び前記並列方向と直交する基板直交方向に照射される光の光度に対する、前記基板直交方向から角度θ傾斜する方向へ照射される光の光度の比をｒ（θ）とし、ｒ（θ）・ｃｏｓθ＝１／２となるθを求めてθ０とする。前記第１ピッチをＰ１とし、前記光源と前記パネルとの間の距離をｄとしたとき、Ｐ１／２≦ｄ・ｔａｎθ０を満たす。
【発明の効果】
【０００９】
本開示に係る一形態の照明器具にあっては、光学部材が不要で、光度のむらが生じるのを抑制することができる。
【図面の簡単な説明】
【００１０】
【図１】図１は、本開示の一実施形態に係る照明器具を上側から見た分解斜視図である。
【図２】図２は、同上の照明器具を下側から見た分解斜視図である。
【図３】図３は、同上の照明器具における枠が仮吊りされた状態の下側から見た斜視図である。
【図４】図４は、同上の照明器具における光源ユニットの下側から見た分解斜視図である。
【図５】図５は、同上の光源ユニットの下面図である。
【図６】図６は、図５の一部拡大図である。
【図７】図７は、図５の一部拡大図である。
【図８】図８は、同上の光源ユニットの一部の垂直断面図である。
【発明を実施するための形態】
【００１１】
本開示は、照明器具に関し、更に詳しくは、基板及び基板に設けられるＬＥＤ（Light Emitting Diode）からなる光源を有する照明器具に関する。以下、本開示に係る照明器具の一実施形態について図面を参照して説明する。
【００１２】
本実施形態の照明器具は、図１〜図３に示すように光源ユニット１、器具本体４、枠５、パネル６及び点灯装置７を備える。なお、以下の説明で使用する上下及び前後左右の各方向は、特に断りの無い限り、図１において規定した方向とする。
【００１３】
器具本体４は、図１〜図３に示すように、矩形平板状の天板４０と、天板４０の周縁から下向きに曲げ起こされた側板４１とを有し、下面が開口した矩形箱状に形成されている。各側板４１の下端には、外向きに突出する外鍔４２が側板４１と一体に形成されている。天板４０の中央部分には、幅細の金属板からなる補強部材４２０が取り付けられている（図３参照）。補強部材４２０には複数（例えば３個）の長孔４２１が一列に設けられている。天板４０には、複数の長孔４２１のそれぞれに対応して貫通孔４０２が設けられている。
【００１４】
器具本体４が取り付けられる天井材１００には、器具本体４が下側から挿入される開口部１０１が設けられている（図２参照）。天井材１００の上側にある建物の躯体には、器具本体４を固定するために複数本（例えば３本）の吊りボルト１０２が設けられている。天井材１００に器具本体４を固定するにあたっては、天井材１００の開口部１０１に器具本体４を下側から挿入して、吊りボルト１０２を貫通孔４０２と長孔４２１とに通し、天井材１００における開口部１０１の周縁に外鍔４２を当接させる。この状態で、長孔４２１から下側に突出する吊りボルト１０２にナットをねじ込むと、器具本体４が天井材１００に固定される。
【００１５】
天板４０の下面右側には電源端子台４３及び信号端子台４４が取り付けられている（図３参照）。天板４０には、電源端子台４３及び信号端子台４４の近傍にそれぞれ貫通孔４０１が設けられている。電源端子台４３は電源線を中継接続するために用いられ、電源端子台４３の近傍にある貫通孔４０１に通された電源線と、点灯装置７からの電源線とがそれぞれ接続される。信号端子台４４は信号線を中継接続するために用いられ、信号端子台４４の近傍にある貫通孔４０１に通された信号線と、点灯装置７からの信号線とがそれぞれ接続される。すなわち、点灯装置７には電源端子台４３を介して商用電源（交流電源）が供給され、信号端子台４４を介して調光信号などの信号が入力される。
【００１６】
また左右の側板４１には、上下方向の中間部に段部４５が設けられている。器具本体４の左右方向における幅寸法は、段部４５よりも上側の部位に比べて、段部４５よりも下側の部位の方が幅広に形成されている。左右の段部４５の各々には、２個の孔４６が前後に間隔を開けて形成されている。孔４６は、段部４５から段部４５よりも上側の側板４１にかけて形成されており、後述する固定バネ（固定バネ８Ａ又は固定バネ８Ｂ）の腕部８１が挿入されるようになっている。
【００１７】
点灯装置７は、交流の電圧・電流を直流の電圧・電流に変換する電力変換回路や入力端子台７１、２つの出力端子台７２、信号端子台７３などが実装されたプリント配線板を金属製のケース７０に収納して構成される。プリント配線板は左右方向を長手方向とする矩形板状に形成されており、プリント配線板の長手方向一端側に入力端子台７１及び信号端子台７３が実装され、プリント配線板の長手方向他端側には２つの出力端子台７２が実装されている。入力端子台７１及び信号端子台７３が実装されたプリント配線板の一端部と、出力端子台７２が実装されたプリント配線板の他端部は、ケース７０から露出する。
【００１８】
光源ユニット１は、図１、図２、図４及び図５に示すように４つのＬＥＤモジュール２と、反射体３とで構成される。
【００１９】
反射体３は、矩形平板状の取付板３０と、取付板３０の周縁から下向きに曲げ起こされた４つの反射板３１とを有し、下面が開放された箱状に形成されている。反射板３１は、内面（取付板３０側の面）が反射面となる。本実施形態では、反射板３１の反射面は、白色、灰色等の無彩色であるが、特に限定されない。図５に示すように、反射板３１は、後述する列形成方向Ｄ１及び並列方向Ｄ２と直交する基板直交方向Ｄ３（図８参照、図５の紙面に直交する方向）に見て取付板３０を囲うように配置される。
【００２０】
また、各反射板３１の下端には、外向きに突出する外鍔３２が反射板３１と一体に形成されている。取付板３０の上面には点灯装置７のケース７０が固定ねじを用いてねじ止めされている。点灯装置７は、ケース７０の長手方向が左右方向と平行し、かつ、入力端子台７１及び信号端子台７３が右側を向くように、取付板３０の後寄りに取り付けられている。
【００２１】
各ＬＥＤモジュール２は、図４及び図５に示すように矩形の基板２０と、基板２０の一面（下面）に実装された複数のＬＥＤ２１からなる光源と、を備える。
【００２２】
ＬＥＤ２１は、市販されているパッケージ型の白色ＬＥＤである。基板２０の下面には、左右方向及び前後方向にそれぞれ所定の間隔を開けて複数のランドが設けられている。複数のＬＥＤ２１は、それぞれ対応するランドに電極が半田接合されることによって、基板２０の下面に実装（表面実装）されている。
【００２３】
基板２０の下面には、上記した複数のランドが縦横に並べて形成されており、ランド間を電気的に接続する導体箔（銅箔）が、所望の回路を形成するようにパターニングされている。また、基板２０の下面には、短手方向中央部の外縁にレセプタクルコネクタ２４が実装されている。レセプタクルコネクタ２４は、基板２０に形成された導体箔を介して、ランドに半田付けされたＬＥＤ２１と電気的に接続されており、点灯装置７からの出力線に結線されたプラグコネクタと抜き差し自在に接続される。
【００２４】
本実施形態では、全てのＬＥＤ２１を直列に接続するような導体箔が基板２０にパターニングされており、レセプタクルコネクタ２４にプラグコネクタが接続された状態では、点灯装置７の出力間に全てのＬＥＤ２１が直列に接続されることになる。なお、基板２０には複数のＬＥＤ２１を並列に接続するような回路が形成されていてもよいし、複数個のＬＥＤ２１の直列回路が複数並列に接続されるような回路が形成されていてもよい。また、必ずしも全てのランドにＬＥＤ２１を実装する必要は無く、いくつかのランドを間引いてＬＥＤ２１を実装しても構わない。
【００２５】
基板２０は、取付板３０にビス止め等により取り付けられる。取付板３０は、基板２０が取り付けられることにより、基板２０が有するＬＥＤ２１が配置される。取付板３０は、ＬＥＤ２１からなる光源が配置される光源配置部として機能する。図５に示すように、光源配置部としての取付板３０は、後述する列形成方向Ｄ１及び並列方向Ｄ２に沿う辺を有する矩形状に形成されている。基板２０及びＬＥＤ２１については、後で詳述する。
【００２６】
次に、光源ユニット１及びパネル６を保持して器具本体４に取り付けられる枠５について説明する。
【００２７】
枠５は、図１〜図３に示すように、矩形の貫通孔５２が中央に設けられた底壁５０と、底壁５０の周縁から上向きに突出する側壁５１とを備える。また底壁５０の上面には、側壁５１よりも内側寄りの部位から、側壁５１と平行しかつ上向きに突出するように内壁５３が設けられている。底壁５０の上側には、内壁５３によって囲まれる領域にパネル６と光源ユニット１とが重ねて載置される。光源ユニット１の反射体３は取付金具３５を用いて枠５の内壁５３に取り付けられている。取付金具３５は金属板をＬ形に折り曲げて形成されている。取付金具３５の一端側は反射体３の取付板３０にねじ固定され、取付金具３５の他端側は内壁５３にねじ固定されており、光源ユニット１を枠５に固定することによって、光源ユニット１と枠５の間にパネル６が保持される。
【００２８】
枠５には、貫通孔５２を挟んで対向する一対の内壁５３（枠部）のそれぞれに、枠５を器具本体４に取り付けるための固定バネ（固定バネ８Ａ，８Ｂからなる）が、前後方向に間隔を開けて２個ずつ取り付けられている。
【００２９】
固定バネ８Ａ，８Ｂは、それぞれ、弾性係数が比較的高い金属（例えばステンレス鋼など）の線材を曲げ加工することによって形成されている。
【００３０】
本実施形態では、固定バネ８Ａの中央部８０が左側の内壁５３に連結金具５４を介して取り付けられ、固定バネ８Ｂの中央部８０が右側の内壁５３に連結金具５４を介して取り付けられている。
【００３１】
パネル６は、透光性を有し、光を拡散させるための拡散材が混入された合成樹脂（例えば、アクリル樹脂）によって矩形平板状に形成されている。ただし、パネル６の縦横寸法は、貫通孔５２の縦横寸法よりも大きく、かつ内壁５３間の距離よりも小さく構成されている。そして、パネル６は、内壁５３の内側に収納されるとともに、底壁５０における内壁５３の内側の部分に載置されて貫通孔５２を塞いでいる（図１及び図２参照）。底壁５０に載置されたパネル６の上には光源ユニット１が載置され、光源ユニット１の反射体３を取付金具３５を用いて枠５に固定することで、パネル６が光源ユニット１と枠５の間に保持される。パネル６は、基板２０と対向するように配置される。
【００３２】
本実施形態の照明器具の各部は上記のような構成を有しており、この照明器具を天井材１００に取り付ける手順を図３に基づいて説明する。
【００３３】
作業者は、天井材１００の開口部１０１に下側から器具本体４を挿入し、外鍔４２の上面を開口部１０１の周縁部に当接させた状態で、器具本体４を吊りボルト１０２に固定する。器具本体４の内部には、天井材１００の裏側に先行配線された電源線及び信号線が貫通孔４０１を通して導入されており、作業者は、電源線を電源端子台４３に接続するとともに、信号線を信号端子台４４に接続する。
【００３４】
このようにして天井材１００に取り付けられた器具本体４に対して、パネル６及び光源ユニット１が取り付けられた枠５を取り付ける。
【００３５】
作業者は、枠５の右側に取り付けられた２個の固定バネ８Ｂの腕部８１を持ち、各固定バネ８Ｂが備える一対の腕部８１の先端側が近づく向きに腕部８１を撓め、腕部８１の先端を対応する器具本体４の孔４６に挿入し、端部を孔４６の周縁に引っ掛ける。これにより、枠５は、右側の内壁５３に取り付けられた２個の固定バネ８Ｂによって、器具本体４から吊り下げられた状態となる。
【００３６】
次に、作業者は、図３に示す状態から枠５の下側を上方に持ち上げ、枠５の左側（図３における下側）に取り付けられた２個の固定バネ８Ａを、対応する器具本体４の孔４６に順番に係止させる。作業者は、各固定バネ８Ａが備える一対の腕部８１を互いに近づく向きに撓め、腕部８１の先端を器具本体４の左側の孔４６に挿入し、端部を孔４６の周縁に引っ掛ける。これにより、枠５は両側の固定バネ８Ａ，８Ｂで吊り下げられた状態となる。
【００３７】
この状態から作業者が枠５を上側に押し上げると、固定バネ８Ａ，８Ｂがそれぞれ備える一対の腕部８１がその弾性力によって外側に拡がっていき、固定バネ８Ａ，８Ｂのバネ力によって、枠５が上側に引き上げられる。そして、側壁５１の上端が天井材１００の下面と当接し、枠５が天井材１００の下面に取り付けられた状態となる。このようにして、本実施形態の照明器具は天井材１００に取り付けられる。
【００３８】
以下に、基板２０に設けられるＬＥＤ２１の配置について説明する。図５に示すように、本実施形態では、光源配置部となる取付板３０に、基板２０として、第１基板２０１及び第２基板２０２が並んで配置されている。
【００３９】
基板２０は、複数の光源列Ｌ（Ｌ１１〜Ｌ１８、Ｌ２１〜Ｌ２８）を有する。各光源列Ｌは、図６に示すように、基板２０の板面に沿う列形成方向Ｄ１に伸びる一直線上に、第１ピッチＰ１で複数のＬＥＤ２１が配置されて構成される。すなわち、各光源列Ｌ（Ｌ１１〜Ｌ１８、Ｌ２１〜Ｌ２８）において、列形成方向Ｄ１に隣接する任意の二つのＬＥＤ２１のピッチは、第１ピッチＰ１となっている。
【００４０】
光源列Ｌは、基板２０の板面に沿い、かつ列形成方向Ｄ１と直交する並列方向Ｄ２に、第２ピッチＰ２で配置される。すなわち、並列方向Ｄ２に隣接する任意の二つの光源列Ｌのピッチは、第２ピッチＰ２となっている。
【００４１】
光源列Ｌ１１における各ＬＥＤ２１は、光源列Ｌ１１に隣接する光源列Ｌ１２の各ＬＥＤ２１と、列形成方向Ｄ１において第１ピッチＰ１の半分のピッチずれた位置に配置される。同様に、光源列Ｌ１２における各ＬＥＤ２１は、光源列Ｌ１２に隣接する光源列Ｌ１３の各ＬＥＤ２１と、列形成方向Ｄ１において第１ピッチＰ１の半分のピッチずれた位置に配置される。すなわち、一の光源列Ｌ（Ｌ１１〜Ｌ１８、Ｌ２１〜Ｌ２８）における各ＬＥＤ２１は、一の光源列Ｌに隣接する光源列Ｌの各ＬＥＤ２１と、列形成方向Ｄ１において第１ピッチＰ１の半分のピッチずれた位置に配置される。
【００４２】
また、図７に示すように、第１基板２０１の第２基板２０２側の端部に位置する光源列Ｌ１８と、第２基板２０２の第１基板２０１側の端部に位置する光源列Ｌ２１とのピッチが、第２ピッチＰ２と等しい。すなわち、光源列Ｌ１８と光源列Ｌ２１の並列方向Ｄ２におけるピッチが第２ピッチＰ２と等しい。
【００４３】
これにより、基板２０は、第１基板２０１と第２基板２０２とに分かれているものの、基板２０に配置されているＬＥＤ２１は、列形成方向Ｄ１におけるピッチは第１ピッチＰ１で共通である。また、光源列Ｌの並列方向Ｄ２におけるピッチは第２ピッチＰ２で共通となる。また、一の光源列Ｌにおける各ＬＥＤ２１が、この光源列Ｌに隣接する光源列Ｌの各ＬＥＤ２１と、列形成方向Ｄ１において第１ピッチＰ１の半分のピッチずれた位置に配置される点も共通となる。
【００４４】
次に、隣接するＬＥＤ２１のピッチが満たすべき条件について説明する。まず、隣接するＬＥＤ２１のピッチとして、第１ピッチＰ１が満たすべき条件について説明する。
【００４５】
まず、ＬＥＤ２１の指向性について説明する。図８に示すように、一の光源列ＬにおけるＬＥＤ２１について、列形成方向Ｄ１における一端部から順にＬＥＤ２１１、ＬＥＤ２１２、ＬＥＤ２１３、・・・とする。列形成方向Ｄ１及び並列方向Ｄ２と直交する方向を基板直交方向Ｄ３とする。いずれかのＬＥＤ２１（ここではＬＥＤ２１３とする）において、ＬＥＤ２１３から、基板直交方向Ｄ３に照射される光の光度（強度）に対する、基板直交方向Ｄ３から角度θ傾斜する方向へ照射される光の光度の比をｒ（θ）とする。光度は、角度θにかかわらずＬＥＤ２１３からの距離の二乗に反比例するように減衰するため、同じ距離で比較するものとする。
【００４６】
具体的には、ＬＥＤ２１３から基板直交方向Ｄ３に照射されて、ＬＥＤ２１３から距離ｄ離れたパネル６の表面の点Ｑ１に到達した光の光度をＩ（０）とする。また、ＬＥＤ２１３から角度θ傾斜する方向に照射されて、パネル６の表面の点Ｑ２に到達した光の光度をＩ（θ）とする。なお、ＬＥＤ２１３から点Ｑ１までの距離と、ＬＥＤ２１３から点Ｑ２までの距離は異なるが、この距離の差の影響は大きくないものとして本説明においては考慮しない。
【００４７】
このとき、
ｒ（θ）＝Ｉ（θ）／Ｉ（０）・・・（式１）
となる。本実施形態をはじめ一般的には、θが０から大きくなる程、Ｉ（θ）及びｒ（θ）は小さくなる。
【００４８】
また、本実施形態におけるＬＥＤ２１は、ｒ（θ）＝ｃｏｓθとなるＬＥＤ２１が用いられる。
【００４９】
パネル６の表面（点Ｑ１及び点Ｑ２）に到達した光は、パネル６により拡散される。このうち、パネル６を通して基板直交方向Ｄ３に照射される光の割合は、パネル６の表面（点Ｑ１及び点Ｑ２）に到達した光のうち、基板直交方向Ｄ３方向成分の割合となる。
【００５０】
具体的には、パネル６の表面の点Ｑ１に到達した光の光度はＩ（０）である。このうち、基板直交方向Ｄ３方向成分ＩＤ３（０）は、
ＩＤ３（０）＝Ｉ（０）・ｃｏｓ０＝Ｉ（０）・・・（式２）
であり、これが、点Ｑ１からパネル６を通って基板直交方向Ｄ３にずれた点Ｑ３に到達した光の光度となる。
【００５１】
また、パネル６の表面の点Ｑ２に到達した光の光度はＩ（θ）である。このうち、基板直交方向Ｄ３方向成分ＩＤ３（θ）は、
ＩＤ３（θ）＝Ｉ（θ）・ｃｏｓθ・・・（式３）
であり、これが、点Ｑ２からパネル６を通って基板直交方向Ｄ３にずれた点Ｑ４に到達した光の光度となる。
【００５２】
上述したように、パネル６を通って基板直交方向Ｄ３方向に照射される光を見る場合、ＬＥＤ２１３から基板直交方向Ｄ３に照射される光の光度は、点Ｑ３に到達した光の光度ＩＤ３（０）であり、Ｉ（０）である。また、パネル６を通って基板直交方向Ｄ３方向に照射される光を見る場合、ＬＥＤ２１３から基板直交方向Ｄ３に対して角度θ傾斜する方向へ照射される光の光度は、点Ｑ４に到達した光の光度ＩＤ３（θ）であり、Ｉ（θ）・ｃｏｓθである。従って、点Ｑ３に到達した光の光度ＩＤ３（０）に対する、点Ｑ４に到達した光の光度ＩＤ３（θ）の比Ｒ（θ）は、
Ｒ（θ）＝Ｉ（θ）・ｃｏｓθ／Ｉ（０）＝ｒ（θ）・ｃｏｓθ・・・（式４）
となる。本実施形態では、ｒ（θ）＝ｃｏｓθであるため、
Ｒ（θ）＝ｃｏｓ２θ・・・（式４−１）
となる。
【００５３】
次に、基板直交方向Ｄ３に見て、ＬＥＤ２１の位置の光度に対する、隣接するＬＥＤ２１の間の中点における光度の比について説明する。具体的には、点Ｑ３における光度に対する、ＬＥＤ２１１とＬＥＤ２１２の間の点Ｑ５における光度の比である。
【００５４】
ここで、
θ１＝ｔａｎ−１（Ｐ１／２ｄ）・・・（式５）
である。また、点Ｑ５における光度は、ＬＥＤ２１１から基板直交方向Ｄ３に対して角度θ１傾斜する方向へ照射される光の光度と、ＬＥＤ２１２から基板直交方向Ｄ３に対して角度θ１傾斜する方向へ照射される光の光度の和である。なお、厳密には、ＬＥＤ２１１及びＬＥＤ２１２以外のＬＥＤ２１からの光の光度も加えるべきであるが、この光度の影響は大きくないものとして本説明においては考慮しない。
【００５５】
この場合、点Ｑ５における光度ＩＱ５は、（式３）を用いて
ＩＱ５＝２・Ｉ（θ１）・ｃｏｓθ１・・・（式６）
となる。
【００５６】
また、基板直交方向Ｄ３に見て、ＬＥＤ２１の位置の光度は、点Ｑ３における光度であり、（式２）に示すようにＩ（０）である。
【００５７】
ここで、照明器具の光度のむらが小さいことの条件として、パネル６を基板直交方向Ｄ３に見た場合に、隣接するＬＥＤ２１の間の中点における光度が、ＬＥＤ２１の位置の光度を下回らないということを規定することができる。すなわち、点Ｑ５における光度ＩＱ５が、ＬＥＤ２１の位置の光度すなわち点Ｑ３における光度ＩＤ３（０）よりも小さくならないことを、光度のむらが小さい条件として規定する。
【００５８】
この場合、条件を満たす限界となる角度θを角度θ０とすると、
ＩＱ５＝２・Ｉ（θ０）・ｃｏｓθ０＝Ｉ（０）・・・（式７）
を満たす必要がある。（式７）から式を変形していくと、
２・Ｉ（θ０）・ｃｏｓθ０＝Ｉ（０）
Ｉ（θ０）／Ｉ（０）・ｃｏｓθ０＝１／２
（式１）より、
ｒ（θ０）・ｃｏｓθ０＝１／２・・・（式８）
を満たすθ０が求める解である。なお、本実施形態においては、ｒ（θ）＝ｃｏｓθであるため、θ０＝４５°である。
【００５９】
この場合、（式５）と同様に、
θ０＝ｔａｎ−１（Ｐ１／２ｄ）・・・（式９）
となるため、書き換えて
Ｐ１／２＝ｄ・ｔａｎθ０・・・（式１０）
を得る。
【００６０】
点Ｑ５の場合の角度θ１がθ０以下であれば、（式７）より、ＩＱ５≧Ｉ（０）となり、隣接するＬＥＤ２１の間の中点における光度が、ＬＥＤ２１の位置の光度を下回らない。すなわち、Ｐ１／２≦ｄ・ｔａｎθ０を満たせば、隣接するＬＥＤ２１の間の中点における光度が、ＬＥＤ２１の位置の光度を下回らない。更に言い換えると、第１ピッチＰ１が２ｄ・ｔａｎθ０以下であると、隣接するＬＥＤ２１の間の中点における光度が、ＬＥＤ２１の位置の光度を下回らない。このようにすることで、列形成方向Ｄ１における光度のむらが生じるのを抑制することができる。
【００６１】
同様のことは、光源列Ｌにおける第１ピッチＰ１のみならず、異なる光源列Ｌに位置する二つのＬＥＤ２１についても適用される。図６に示すように、光源列Ｌ１１を構成するＬＥＤ２１と、このＬＥＤ２１と列形成方向Ｄ１においてＰ１／２ずれて位置する光源列Ｌ１２を構成するＬＥＤ２１との間のピッチをＰ３とする。ピッチＰ３についても、Ｐ３≦２ｄ・ｔａｎθ０以下であると、これら二つのＬＥＤ２１の間の中点における光度が、ＬＥＤ２１の位置の光度を下回らない。ここで、ピタゴラスの定理より、
Ｐ３＝｛（Ｐ１／２）２＋Ｐ２２｝１／２・・・（式１１）
である。このようにすることで、並列方向Ｄ２における光度のむらが生じるのを抑制することができる。
【００６２】
また、基板直交方向Ｄ３に見て、光源配置部の端部、すなわち反射板３１の位置の光度も、ＬＥＤ２１の位置の光度を大きく下回らない方が好ましい。具体的には、基板直交方向Ｄ３に見て、反射板３１の位置の光度が、反射板３１に最も近いＬＥＤ２１の位置の光度の１／２を下回らないことが好ましい。反射板３１の位置の光度が反射板３１に最も近いＬＥＤ２１の位置の光度の１／２となる場合、上記角度θはθ０である。ここで、図６に示すように、反射板３１と反射板３１に最も近いＬＥＤ２１との間の距離をＤとすると、
Ｄ≦ｄ・ｔａｎθ０・・・（式１２）
を満たす場合、反射板３１の位置の光度が、反射板３１に最も近いＬＥＤ２１の位置の光度の１／２を下回らない。このようにすることで、光源配置部の端部における光度のむらが生じるのを抑制することができる。
【００６３】
なお、パネル６は、拡散材により光を拡散させるのではなく、パネル６の表面にシボ加工等を施して乳白色等に見える拡散部を形成してもよく、光を拡散させる形態は限定されない。
【００６４】
また、ＬＥＤ２１は、光源列Ｌにおいて厳密に一直線上に配置されなくてもよい。すなわち、本開示において意図する効果が得られる限りにおいて、光源列ＬをなすＬＥＤ２１が一直線上から若干ずれて配置されても構わない。
【００６５】
以上、述べた第一実施形態から明らかなように、第１の態様の照明器具は、ＬＥＤモジュール２と、パネル６と、を備える。ＬＥＤモジュール２は、基板２０及び基板２０に設けられるＬＥＤ２１からなる光源を有する。パネル６は、基板２０と対向するように配置され、透光性を有し光を拡散させる。基板２０は、列形成方向Ｄ１に伸びる一直線上に第１ピッチＰ１で複数の光源が配置されてなる光源列Ｌを有する。光源列Ｌは、列形成方向Ｄ１と直交する並列方向Ｄ２に第２ピッチＰ２で複数配置される。一の光源列Ｌにおける各光源は、一の光源列Ｌに隣接する光源列Ｌの各光源と、列形成方向Ｄ１において第１ピッチＰ１の半分のピッチずれた位置に配置される。
【００６６】
光源から、列形成方向Ｄ１及び並列方向Ｄ２と直交する基板直交方向Ｄ３に照射される光の光度に対する、基板直交方向Ｄ３から角度θ傾斜する方向へ照射される光の光度の比をｒ（θ）とし、ｒ（θ）・ｃｏｓθ＝１／２となるθを求めてθ０とする。第１ピッチＰ１と、光源とパネル６との間の距離ｄは、Ｐ１／２≦ｄ・ｔａｎθ０を満たす。
【００６７】
第１の態様によれば、列形成方向Ｄ１における光度のむらが生じるのを抑制することができる。
【００６８】
第２の態様では、第１の態様との組み合わせにより実現される。第２の態様では、照明器具は、第２ピッチをＰ２としたとき、｛（Ｐ１／２）２＋Ｐ２２｝１／２／２≦ｄ・ｔａｎθ０を満たす。
【００６９】
第２の態様によれば、並列方向Ｄ２における光度のむらが生じるのを抑制することができる。
【００７０】
第３の態様では、第１の態様または第２の態様との組み合わせにより実現される。第３の態様では、照明器具は、反射体３を更に備える。反射体３は、光源配置部と、反射板３１と、を有する。光源配置部は、列形成方向Ｄ１及び並列方向Ｄ２に沿う辺を有する矩形状に形成されて光源列Ｌが配置される。反射板３１は、列形成方向Ｄ１及び並列方向Ｄ２と直交する基板直交方向Ｄ３に見て光源配置部を囲うように配置される。反射板３１と反射板３１に最も近い光源との間の距離をＤとしたとき、Ｄ≦ｄ・ｔａｎθ０を満たす。
【００７１】
第３の態様によれば、光源配置部の端部における光度のむらが生じるのを抑制することができる。
【００７２】
第４の態様では、第１〜第３のいずれかの態様との組み合わせにより実現される。第４の態様では、光源配置部に、基板２０として第１基板２０１と第２基板２０２とが並列方向Ｄ２に並ぶように配置される。第１基板２０１の第２基板２０２側の端部に位置する光源列Ｌ１８と、第２基板２０２の第１基板２０１側の端部に位置する光源列Ｌ２１とのピッチが第２ピッチＰ２と等しい。第１基板２０１の第２基板２０２側の端部に位置する光源列Ｌ１８における各光源は、第２基板２０２の第１基板２０１側の端部に位置する光源列Ｌ２１の各光源と、列形成方向Ｄ１において第１ピッチＰ１の半分のピッチずれた位置に配置される。
【００７３】
第４の態様によれば、基板２０が第１基板２０１と第２基板２０２とに分かれていても、基板２０が分かれていない場合と同様の光度とすることができる。
【００７４】
第５の態様では、第３の態様との組み合わせにより実現される。第５の態様では、反射板３１は、光源配置部を向く反射面が無彩色である。
【００７５】
第５の態様によれば、光度のむらが目立ちにくい。
【符号の説明】
【００７６】
２      ＬＥＤモジュール
２０    基板
２０１  第１基板
２０２  第２基板
２１    ＬＥＤ（光源）
３      反射体
３０    取付板（光源配置部）
３１    反射板
６      パネル
ｄ      距離
Ｄ１    列形成方向
Ｄ２    並列方向
Ｄ３    基板直交方向
Ｌ      光源列
Ｌ１８  光源列
Ｌ２１  光源列
Ｐ１    第１ピッチ
Ｐ２    第２ピッチ
θ      角度
【図１】
2020024831.tif 000003
【図２】
2020024831.tif 000004
【図３】
2020024831.tif 000005
【図４】
2020024831.tif 000006
【図５】
2020024831.tif 000007
【図６】
2020024831.tif 000008
【図７】
2020024831.tif 000009
【図８】
2020024831.tif 000010